Podtech/llm-jp-corpus-v4-ja_patent huggingface dataset:
(57)【要約】      （修正有）【課題】道具の重みで不安定にならないようにし、炉点前ができるようにする。また、正座してお茶を点てないで済むようにする。【解決手段】椅子に腰掛けてお茶を点てるための茶道炉用立札棚であって、炭火又は電熱用器具にて湯を沸かす炉１と上板に畳を嵌め込んでつくった点前台２とを、前記炉を向かって右側、前記点前台は向かって左側に配置して一体化したことを特徴とする茶道炉用立札棚。【選択図】図１
0003131186.tif 000002
【実用新案登録請求の範囲】
【請求項１】
椅子に腰掛けてお茶を点てるための茶道炉用立札棚であって、炭火又は電熱用器具にて湯を沸かす炉と、上板に畳を嵌め込んでつくった点前台とを、前記炉を向かって右側、前記点前台を向かって左側に配置して一体化したことを特徴とする茶道炉用立札棚。
【考案の詳細な説明】
【技術分野】
【０００１】  本考案は、椅子に腰掛けてお茶を点てるための茶道炉用立札棚に関するものである。
【背景技術】
【０００２】  図３〜５は従来より椅子に腰を掛けて茶道を行う棚として知られている立札棚である。
【考案の開示】
【考案が解決しようとする課題】
【０００３】  しかし、図３〜５に示すように、茶を点てる場合、数々の道具を使用し、火も取り扱う。
道具類は１３ｋｇ〜１６ｋｇの重量がある。この様な品々を組立式で塗り物の上板に乗せて点前を行うのが従来のやり方である。
組立式は衝撃に弱く不安定で、塗り物はすべりやすく、また、上板の上に釜があって危険であるなど問題点が多い。【０００４】  また、茶道には風炉点前と炉点前と二通りの点前があり、向かって左側に釜がある図３〜５の棚は風炉点前用にしか使えず、向かって右側に釜がある炉用の立札棚は無かったので不自由であった。【０００５】  茶道は和室で畳の上に道具を設えその前に正座して茶を点てるのが建前であるが、条件が整わない場合も多々あり、もっと気軽に楽しむ方法として本考案の茶道炉用立札棚を提供するものである。
【課題を解決するための手段】
【０００６】  上記の課題を解決するために、本考案が提供する茶道炉用立札棚は、椅子に腰掛けてお茶を点てるための茶道炉用立札棚であって、炭火又は電熱用器具にて湯を沸かす炉と、上板に畳を嵌め込んでつくった点前台を、前記炉は向かって右側、前記点前台は向かって左側に配置して一体化したことを特徴とするものである。
【考案の効果】
【０００７】  本考案の茶道炉用立札棚は、上記述べたように組立式ではなく、一体型にしたので、従来のような危険はなくなる。図１の１が向かって右側に炉を配置したから、炉点前ができる様になった。さらに机式にしたので正座して茶を点てなくて済むという効果が得られる。【０００８】  以下、本考案の茶道炉用立札棚の形態を実施例によって図１．２を参考にしながら説明する。
図１は実施例の茶道炉用立札棚の斜視図である。図２は実施例の茶道炉用立札棚の平面図である。【０００９】  図１．２は椅子に腰掛けてお茶を点てる机式の立札棚を示す図において、１は炭火又は電熱用器具で湯を沸かす炉である。２は手前台である。この点前台は、上板３の木枠に畳３ａを嵌め込んでつくったものである。炉１は向かって右側に、点前台２は向かって左側に配置され、両者１．２は立脚４の上に一体に固定されている。なお、５．６は引き出しである。【００１０】  図１実施例の立札棚は、上記のように組立式ではなく、一体型になっているので衝撃に耐え、従来のように道具の重みで不安定になって乗せたものがすべるとか、釜の湯がこぼれるといったおそれがなくなる。
また、釜を向かって右側に配置したから、炉点前が出来る。更に机式になっているので膝を二つに折って正座して茶を点てなくて済む。
【図面の簡単な説明】
【００１１】
【図１】実施例の茶道炉用立札棚の斜視図である。
【図２】実施例の茶道炉用立札棚の平面図である。
【図３】従来から使用の立札棚の斜視図である。
【図４】従来から使用の立札棚の斜視図である。
【図５】従来から使用の立札棚の斜視図である。
【符号の説明】
１．  炉
２．  点前台
３．  上板
３ａ  畳
４．  脚
５・６．  引出し
【図１】
0003131186.tif 000003
【図２】
0003131186.tif 000004
【図３】
0003131186.tif 000005
【図４】
0003131186.tif 000006
【図５】
0003131186.tif 000007
(57)【要約】      （修正有）【課題】製造容易、かつ、安価に、ポストカードやプレゼントカード等として、さらに、各種意匠材として好適に用いられる意匠性に優れる装飾シートを提供する。【解決手段】シート基材２面に、表面に細巾の反射用傾斜溝１０が並設配置された透明模様印刷層が付設されている装飾シート。【選択図】図２
0003131190.tif 000002
【実用新案登録請求の範囲】
【請求項１】
シート基材面に、表面に細巾の反射用傾斜溝が並設配置された透明模様印刷層が付設されてなることを特徴とする装飾シート。
【考案の詳細な説明】
【技術分野】
【０００１】  この考案は、装飾シートに関する。
【背景技術】
【０００２】  ポストカードやプレゼントカード等として、異なる方向から見ることで模様が出現したり、また、模様が変化する意匠性に優れるものがある。従来のこの種のカードの製造は、基材上に所定の形態のアルミ箔を敷き、それを金型により押すことでその表面に反射用傾斜溝を持つ模様を形成するようにして行っており、その模様は光の反射方向からのみ見ることができ、カードを動かしたりして見る方向を変えることで模様が出現し、また、消えるようになっている。
【考案の開示】
【考案が解決しようとする課題】
【０００３】  したがって、従来のこの種カードを製造するには、金型を必要とするのでその作製に手間がかかり、また、製造コストも高くなる問題があった。【０００４】  この考案では、製造容易、かつ、安価に、ポストカードやプレゼントカード等として、さらに、各種意匠材として好適に用いられる意匠性に優れる装飾シートを提供することを目的とする。
【課題を解決するための手段】
【０００５】  この考案では、シート基材面に、表面に細巾の反射用傾斜溝が並設配置された透明模様印刷層が付設されてなることを特徴とする装飾シートを提供する。【０００６】  上記装飾シートによれば、透明模様印刷層は表面に細巾の反射用傾斜溝が並設されていることでその傾斜する反射面が所定方向への反射機能を持ち、その方向からのみ視認できる。したがって、装飾シートはその見る方向により透明模様印刷層が見え隠れする。透明樹脂印刷層は、透明樹脂インク印刷により付設形成され、その模様パターンはコンピュータによって所望の形態に容易に設計作製される。従来における金型使用による製造では、複雑な形態の反射模様を得るには金型の製造に非常に手間がかかったが、透明模様印刷層を設けて製造することで製造効率が格段に向上され、また、金型費用も必要としない。上記透明模様印刷層は無色であっても有色であってもよい。【０００７】  上記装飾シートは、そのままポストカードやプレゼントカードとして用いてもよく、また、文房具、家具、壁材、さらには衣服等の各種表面意匠材として用いることができる。
【考案の効果】
【０００８】  この考案によれば、製造容易、かつ、安価に、ポストカードやプレゼントカード、さらに、各種意匠材として好適に用いられる意匠性に優れる装飾シートが得られる。
【考案を実施するための最良の形態】
【０００９】  図１はこの考案の装飾シートの平面図である。この装飾シート１はポストカードやプレゼントカード等として用いられる。【００１０】  装飾シート１は紙製のシート基材２上に透明模様印刷層３、４、５が付されて構成されている。シート基材２表面には背景模様上にウサギの模様６とその周囲の飾り模様７とがあらかじめ設けられている。【００１１】  図２は透明模様印刷層３の拡大断面構成を示し、その表面には反射用傾斜溝１０が多数並設配置されており、その傾斜面が反射面１１となっている。そしてその反射用傾斜溝１０は、互いに隣接する透明模様印刷層３ａ、３ｂにおいて異なる傾斜角度Ｘ、Ｙに形成されている。また、透明模様印刷層４でも隣接するものにおいて上記と同様にして反射用傾斜溝１０の傾斜角度が変えられ、さらに、二重、三重形状に形成された透明模様印刷層４それぞれはその単体においても各部分の反射用傾斜溝１０の傾斜角度が変えられている。また、透明模様印刷層５もそれぞれにおいて上記と同様にして反射用傾斜溝１０の傾斜角度が変えられている。【００１２】  上記のように構成されることで、透明模様印刷層３それぞれにおいては、反射面１１からの反射光が得られない方向から見た場合には透明模様印刷層３はほとんど見えず、Ａの方向から見た場合には透明模様印刷層３ａの反射光のみが得られ、Ｂの方向から見た場合には透明模様印刷層３ｂの反射光のみが得られる。したがって、装飾シート１を動かし見る方向を変えることで、透明模様印刷層３ａ、３ｂがともに見えにくい「雪が降らない」状態、透明模様印刷層３ａが見える「雪が降る」状態、透明模様印刷層３ｂが見える「雪が降る」状態それぞれが得られる。とくに、装飾シート１を継続して動かしながらそれぞれの状態を見ることで、「雪が実際に降っている様」を楽しむことができる。【００１３】  透明模様印刷層４においても同様に降雪の状態が得られ、とくに、二重、三重の輪状に形成された透明模様印刷層４がその単体において見る方向が変わることで形態を変えるので、「雪が実際に降っている様」がより実際に近い状態に表現される。また、透明模様印刷層５もそれぞれにおいて反射用傾斜溝１０の傾斜角度が変えられていることで、見る方向が変わることで異なった「雪の積もった様」が見られる。【００１４】  このように、透明模様印刷層３、４、５が見る角度を変えることでその形態を変化させるので、全体として動きのある表現を持つ意匠性に優れる装飾シート１が得られる。透明模様印刷層３、４、５は、コンピュータによって作製される溝形状を含む模様パターンに基づいて、透明樹脂インク印刷により同時に付設形成される。
【図面の簡単な説明】
【図１】  装飾カードの実施形態の平面図
【図２】  装飾カードの実施形態の部分拡大断面図
【符号の説明】
１  装飾シート
２  シート基材
３  透明模様印刷層
４  透明模様印刷層
５  透明模様印刷層
１０反射用傾斜溝
【図１】
0003131190.tif 000003
【図２】
0003131190.tif 000004
(57)【要約】      （修正有）【課題】プラスチック製容器とショルダーストラップを使用し、傘を肩にかけたり、背負えるようにする。【解決手段】無色または有色の透明なプラスチック製の円筒形容器とショルダーストラップを使用する。【選択図】図１
0003131189.tif 000002
【実用新案登録請求の範囲】
【請求項１】
・ショルダーストラップを有するプラスチックからなる円筒形の傘入れ。
【考案の詳細な説明】
【考案の開示】
【考案が解決しようとする課題】
【０００１】従来、傘は手に持って運ぶ必要があり、片手が使えなかった。雨の日に混雑した乗り物に乗った時、傘が当たって自分や他人の衣服が濡れてしまう。置き忘れやすい。
店等の入り口に置いてこなければならなかったり、濡れていれば備え付けのビニール袋に入れて持ち歩かなければならない。自転車を利用する時、傘を備え付ける場所に困るという問題点を有していた。
【課題を解決しようとする手段】
【０００２】上記目的を達成するために、無色または有色の透明なプラスチックを使用し、それで円筒形の容器を作り、その容器をショルダーストラップで肩にかけたり、背負うようにした。
【考案の効果】
【０００３】肩にかけたり、背負うことで両手が自由になる。身体から離さないため、置き忘れにくくなる。混雑した乗り物に乗った時、自分や他人の衣服が濡れない。店等の中へ気軽に持ち込める。背負うことで自転車を安全に運転できる。
無色または有色の透明なプラスチックを使用する理由は、水分が筒底に溜まったことを分かりやすくするためである。水分が筒底に溜まればその筒をひっくり返せば取り除くことができる。また、その筒が透明なことにより、筒の中に収納した傘の柄や模様が分かる。
【図面の簡単な説明】
【０００４】
【図１】ショルダーストラップを有するプラスチックからなる円筒形の傘入れの全景図である。
【図２】ショルダーストラップ、円筒形の傘入れ、結合させるための付属品の３種類に分けた分解図である。
【符号の説明】
１    ショルダーストラップ
２    ショルダーストラップと円筒形の傘入れを結合させるための付属品であり、三角形をしたリング
３    無色または有色の透明なプラスチックからなる円筒形の傘入れ
【図１】
0003131189.tif 000003
【図２】
0003131189.tif 000004
(57)【要約】      （修正有）【課題】ガラス、プラスチックまたは硬化合成樹脂材料等でつくられた、焼酎、清酒等のアルコール飲料を入れるための容器部分と、このアルコール飲料に浸るような位置に、梅干し、レモン等の味覚増強物を固定保持するための部材、以上の各構成からなるアルコール飲料用容器の提供。【解決手段】アルコール飲料容器内部のアルコール飲料にあらかじめ味覚増強物が浸るような位置に味覚増強物を固定保持するための部材を配する。【選択図】図１
0003131187.tif 000002
【実用新案登録請求の範囲】
【請求項１】
１、ガラス、プラスチックまたは硬化合成樹脂材料等でつくられた、焼酎、清酒等のアルコール飲料を入れるための容器部分と
２、このアルコール飲料に浸るような位置に、梅干し、レモン等の味覚増強物を固定保持するための部材
以上の各構成からなるアルコール飲料用容器。
【考案の詳細な説明】
【技術分野】
【０００１】  本考案は，米、芋、麦、そば等でつくられた焼酎、清酒等のアルコール飲料に、あらかじめ梅干し、レモン等の味覚増強物を入れておくための容器である。容器の内部にアルコール飲料と固定用部材の中に入った味覚増強物を入れておき、手軽においしくアルコール飲料を飲むことができる。
【背景技術】
【０００２】  １、従来の容器にはアルコール飲料だけしか入っていないので、味覚増強物入りのアルコール飲料を飲む際にあらかじめ味覚増強物を準備しておかなければならない。
２、従来の容器では、味覚増強物がカップの中の別空間に入っているものはあるが、味覚増強物がアルコール飲料に浸っていないため、飲む直前に味覚増強物を入れなければならないため味がおちる。
【考案が解決しようとする課題】
【０００３】  以上のように，従来の技術ではいろいろな問題を抱えている。そこで本考案において，解決しようとする課題は次のようなものである。
１、容器内のアルコール飲料に味覚増強物が入っていないので味覚増強物入りアルコール飲料を飲むときに、あらかじめ味覚増強物を別途準備しておかなければならない。
２、従来の例では、カップの中の味覚増強物収納空間に味覚増強物が別途にセットされているので、アルコール飲料を飲むときにアルコール飲料内に浸して飲むことになるが、直前に入れたのでは、アルコール飲料と味覚増強物のなじみ具合がうすくて味がよくない。
【課題を解決するための手段】
【０００４】  本考案は，この課題を解決するという目標を達成するために次のような手段を講じる。
１、アルコール飲料用容器内部のアルコール飲料にあらかじめ味覚増強物が浸るような位置に味覚増強物を固定保持するための部材を配する。
【考案を実施するための最良の形態】
【０００５】  本考案のもっとも好ましい実施の形態を添付図の図１に基づいて説明する。図１において，１はアルコール飲料用容器の全体である。２は容器内部のアルコール飲料である。３は味覚増強物を固定保持するために、容器内部に施された合成樹脂等でつくられた部材（例えば、浮き上がったり沈んだりすることにより、味覚増強物の形状が保たれないことを防ぐために、底面付近等に固定されている周囲に穴をあけた箱状をしたものまたは複数本の爪のあるもの）である。４は味覚増強物を固定保持する部材内の味覚増強物である。
【考案の効果】
【０００６】  本考案によるアルコール飲料用容器を使用することによって，次のような効果がある。
１、味覚増強物を常時保管しておかなくても、手軽に味覚増強物入りアルコール飲料が飲める。
２、味覚増強物がいつもアルコール飲料に浸っているので、味覚増強物の味がアルコール飲料になじんでおいしい。
【図面の簡単な説明】
【０００７】
【図１】本考案によるアルコール飲料用容器を横から見たときの完成図である。
【符号の説明】
【０００８】１…………アルコール飲料用容器の全体
２…………容器の内部のアルコール飲料
３…………味覚増強物を固定保持する部材
４…………味覚増強物を固定保持する部材内の味覚増強物
【図１】
0003131187.tif 000003
(57)【要約】      （修正有）【課題】軽量にして膨張・収縮可能であって、その設置と収納を簡単且つ迅速に行える停止表示器材を提供する。【解決手段】ビニール製三角形袋状本体１の表面に反射材・蛍光材層５を設け、且つ空気注入口２を備え、その膨張時に底辺部に嵌め込み可能な硬質ゴム足３と、該ゴム足を差し込んで起立立設する立設架台４からなるビニール製膨張式停止表示器材。【選択図】図１
0003131184.tif 000002
【実用新案登録請求の範囲】
【請求項１】
ビニール製三角形袋状本体１の表面に反射材・蛍光材層５を設け且つ空気注入口２を備えると共に、これを膨張させた時にその底辺に嵌め込み可能な二箇の硬質ゴム足３と、更に該ゴム足３を差し込んで立設する立設架台４からなるビニール製膨張式停止表示器材。
【考案の詳細な説明】
【技術分野】
【０００１】  自動車走行中において、突然に故障したり事故を起こしたりした場合に、やむを得ず緊急停車した際、後続車両に対して緊急停車中であることを警告ないし注意を促し、追突事故などを未然に防止る自動車用の停止表示器材に関するものである。
【従来技術】
【０００２】  従来の自動車停止表示器は、三角形状の硬質プラスチック製部材ないし金属製部材からなり、表面に反射材や蛍光材を設けてなるのが一般的である。
【考案が解決しようとする課題】
【０００３】  上述のように、三角形状部材がすべて硬質部材によって製作されているから、縮小することも折り畳むことも不可能である。
従って、コンパクト化できないために収納や運搬が極めて不便である。また、自動車トランクなどに収納しても振動による騒音を発生しやすい上に、同居する荷物やトランク内壁などを傷つけたりするトラブルを起こしがちである。
【課題を解決するための手段】
【０００４】  上述のような不便や不自由を、停止表示機能を損なうことなく解決する考案を提供するものであって、従来の硬質部材製をすべてビニール及び硬質ゴム製にすることを骨子とするものである。
【考案の実施の形態・実施例】
【０００５】  ビニール製三角形袋状本体１の空気注入口２から空気を注入することによって一辺約５０センチメートルの三角形中空立体ができる。この底辺に２箇の硬質ゴム製足３の上に適宜間隔をおいて嵌め込み、且つ該足３を二本の立設架台４の挿入孔６に差し込んで起立させる。この時、該架台４は本体１に対して直角に位置させて転倒しにくいようにする。
【０００６】  これを故障車、事故車の後方ないし側方に立設しておけばその表面の反射材・蛍光材が後続車のライトや周囲の照明を受けて発光し、当該車両の存在を明確に表示することによって追突などの事故を未然に防止することができる。
【０００７】  その役目を終って収納する際は、先ず本体１の空気を抜いて全体を収縮させ、且つ立設架台４を向い合わせになるように回動させて本体１と平行にする。従って最も小さく折り畳むことができ、収納や運搬に最適の状態にできる。
或は、本体１、足３、架台４を全部分離して個別に収納することもできる。
【考案の効果】
【０００８】  突然の故障や事故に遭遇した際、積載している軽量にしてコンパクトな本体を取り出して簡単に空気膨張させて設置でき緊急事態に対処できると共に、使用後には空気を抜いて収縮させ、且つ折り畳むことができるので著しく体積を小さくできる。従って僅かなスペースでも収納することができるし持ち運びも極めて容易となる。振動による騒音発生も非常に少なくなる上に、隣接する他の物品や周囲に傷を与えたりすることも殆どなくなる有益な考案である。
【図面の簡単な説明】
【０００９】
【図１】    本考案の実施例を示す斜視図。
【図２】    本考案のＡ−Ｂ線拡大断面図。
【符号の説明】
【００１０】  １    ビニール製三角形袋状本体
２    空気注入口
３    硬質ゴム足
４    立設架台
５    反射材・蛍光材層
６    挿入孔
【図１】
0003131184.tif 000003
【図２】
0003131184.tif 000004
(57)【要約】      （修正有）【課題】携帯型映像再生装置等を縦位置及び横位置に遊動自在に車両に装着する保持台座を提供する。【解決手段】携帯型映像再生装置等５を保持するホルダー４とホルダー４に脱着可能に係着したボールジョイントカップ３と、カップ３に嵌合するボールジョイントボール２を固着したベース板１より構成し、再生装置等５は使用状況に合わせてボールジョイント部で縦位置、横位置に回転させて使用する事が出来る。【選択図】図１
0003131185.tif 000002
【実用新案登録請求の範囲】
【請求項１】
携帯型映像再生装置等を保持するホルダーとベース板をボールジョイントを介して結合した事を特徴とする携帯型映像再生装置等の車載用保持具。
【請求項２】
請求項１に於いて、ホルダーをベース板に対して縦横回動可能に配置した事を特徴とする携帯型映像再生装置等の車載用保持具。
【請求項３】
請求項１に於いて、ボールジョイントのカップ部とボール部を分離してホルダーを交換する事ができる事を特徴とする携帯型映像再生装置等の車載用保持具。
【請求項４】
請求項１に於いて、ホルダーをボールジョイントから外して交換する事ができる事を特徴とする携帯型映像再生装置等の車載用保持具。
【考案の詳細な説明】
【技術分野】
【０００１】  本考案は、携帯型映像再生装置、携帯型情報端末等の車両への装着保持台座に関するものである。
【背景技術】
【０００２】  従来の技術思想では、携帯型映像再生装置等を車両に取り付ける場合、本体を両面テープやビスなどで直接固定する方法やホルダーに挿入して固定する方法が多かった。
【考案の開示】
【考案が解決しようとする課題】
【０００３】  本考案は、携帯型映像再生装置等を縦位置及び横位置に遊動自在に車両に装着する保持台座を供給する事を目的とする。
【課題を解決するための手段】
【０００４】  本考案では携帯型映像再生装置等を保持するホルダーと該ホルダーに脱着可能に係着したボールジョイントカップと、該カップに嵌合するボールジョイントボールを固着したベース板より構成し、該再生装置等は使用状況に合わせてボールジョイント部で縦位置、横位置に回転させて使用する事が出来る。該車載用保持具を使用する事で、車内に安定した形態で携帯型映像再生装置等を装着保持する事が出来る。
【考案の効果】
【０００５】  上記のように本考案の携帯型映像再生装置等の車載用保持具を車両に装着して、ホルダーに挿入した該再生装置等を任意の位置に縦横自在に動かす事が可能になる。近時の多機能な携帯型映像再生装置等は使用状況に合わせて縦位置横位置で画面を切り替えて使用する方法が一般的である。車内に該再生装置等を持ち込み情報や映像の閲覧をする場合、従来のホルダーでは画面位置を回転させる事ができなかった。本考案では使用状況に応じてボールジョイント部で遊動自在に画面位置を回転させ固定する事が出来る。またホルダーの交換により多様な形状の該再生装置等を保持する事が出来る。
【考案を実施するための最良の形態】
【０００６】  携帯型映像再生装置等を挿入保持出来るホルダー部にボールジョイントのカップ部を脱着可能にビスなどで固着する。ボールジョイントのボール部をＬ型形状のベース板に固着し、該ベース板は両面テープなどで車両のダッシュボードなどに固定する。ホルダー部の回転傾斜等の位置調整は、該ボールジョイント部をつまみで狭める事により行い任意の位置に固定する。利用者はホルダー部に該再生装置等を挿入し、任意の位置に傾斜回転させ固定して該再生装置等を操作する事が出来る。
【実施例】
【０００７】  以下、添付図面に基づいて実施例を説明する。
図１は本考案の車載用保持具に携帯型映像再生装置を装着保持した状態の側面図である。携帯型映像再生装置５は保持ホルダー４に挿入され、ボールジョイントのカップ部３及びボール部２を介して、ベース板１に結合される。ベース板１は貼着された粘着材１ａで車両に固定される。図２はホルダー４を横方向に回転させた状態の側面図である。ボールジョイント部でホルダーを回動させ画面の位置を縦横及び左右に自在に調整出来る。【０００８】  図３は車載用保持具の構成部品の俯瞰図である。使用する機器に応じて保持ホルダー４を交換する事が出来る。【０００９】  図４は携帯型映像再生装置を車載用保持具に装着した使用状態の俯瞰図である。
【図面の簡単な説明】
【００１０】
【図１】車載用保持具の縦使用状態の側面図である。
【図２】車載用保持具の横使用状態の側面図である。
【図３】車載用保持具の部品構成の俯瞰図である。
【図４】携帯型映像再生装置を車載用保持具に設置した使用時の俯瞰図である。
【符号の説明】
【００１１】  １ベース板
３ボールジョイントのカップ部
４保持ホルダー
５携帯型映像再生装置
【図１】
0003131185.tif 000003
【図２】
0003131185.tif 000004
【図３】
0003131185.tif 000005
【図４】
0003131185.tif 000006
(57)【要約】      （修正有）【課題】ジギング（メタルジグでの釣り）において、巻上げ時にアシストフックがメタルジグに絡みつくことがないメタルジグ用絡み防止付アシストフックを提供する。【解決手段】垂直に折り曲げた釣り用ワイヤーがフックの先端より１ｍｍ下げた位置になる様、アシストリーダー１と一緒にセキ糸で密に巻きつけて取り付ける事によりメタルジグにアシストフックが絡みつかなくなった。【選択図】図１
0003131200.tif 000002
【実用新案登録請求の範囲】
【請求項１】
メタルジグにアシストフックが絡みつくのを防止するために、釣り用ワイヤーを、垂直に折り曲げ取り付けたアシストフック。
【考案の詳細な説明】
【技術分野】
【０００１】  本考案は、ジギング（メタルジグでの釣り）において、巻上げ時にアシストフックがメタルジグに絡みつくこと（〔図３〕参照）が多く対象魚のアタックがあってもヒットしないことが多かった。
その時点で、メタルジグをチェックした時にアシストフックが絡み付いていることが多かったので、メタルジグへのアシストフックが絡みつくのを、防止しジギングにおける釣りに対してストレスなく確実にヒットを可能とさせる為の物である。
【背景技術】
【０００２】  ジギング（メタルジグでの釣り）において、巻上げ時にアシストフックがメタルジグに絡みつくこと（〔図３〕参照）が多く対象魚のアタックがあってもヒットしないことが多かった。
【考案の開示】
【考案が解決しようとする課題】
【０００３】ジギング（メタルジグでの釣り）において、巻上げ時にアシストフックがメタルジグに絡みつくことが非常に多かったので、（〔図１〕参照）の様に釣り用ワイヤーを取り付ける事によって作成したものを（〔図２〕参照）の様に取り付けることによって、巻上げ時にアシストフックがメタルジグに絡みつくことが防止できる。
【課題を解決するための手段】
【０００４】  以上の課題を解決するために、〔図１〕の２の部分に、釣り用ワイヤーとアシストリーダーをセキ糸で蜜に巻きつけ、瞬間接着材で接着して、フックの先端に向けて折り曲げる。折り曲げた時点では、〔０００６〕を参照とする。
【考案の効果】
【０００５】    釣り用ワイヤーの効果により、メタルジグ本体にアシストフックが絡まなくなった。その結果、対象魚のアタックがあった時点でのヒットの確立が数段アップした。
【考案を実施するための最良の形態】
【０００６】  〔図１〕の２の部分に巻きつけたワイヤーが、２の軸に対して垂直に折り曲げた時点で、フックの先端より１ｍｍ下になるように取り付けることにより、巻上げ時にアシストフックがメタルジグに絡みつくことが防止できる。
【図面の簡単な説明】
【０００７】
【図１】  この発明の一実態形態を示す図面である。
【図２】  この発明の一実態形態をメタルジグに取り付け時の示す図面である。
【図３】  従来形態の物を使用した時に絡まった状態を示す図面である。
【符号の説明】
【０００８】
【図１】
１．  アシストリーダー
２．  セキ糸巻きつけ部分
３．  石鯛釣り用ワイヤー
４．  フック
【図２】
１．  メタルジグ
２．  考案品
【図３】
従来形態の物を使用した時に絡まった状態のアシストフック
【図１】
0003131200.tif 000003
【図２】
0003131200.tif 000004
【図３】
0003131200.tif 000005
(57)【要約】【課題】  車両のカップホルダーを利用して携帯型情報端末、映像再生装置等を、安定して操作可能に装着保持する台座を供給する事を目的とする。【解決手段】  携帯型情報端末、映像再生装置等などを保持ホルダーで保持しボールジョイントを介してカップ形状の外装材に固定し、車両のカップホルダーに装着することで課題を解決する。【選択図】図１
0003131194.tif 000002
【実用新案登録請求の範囲】
【請求項１】
車両に取り付けられたカップホルダーに対して、該ホルダーに挿入可能な外形の外装材と該外装材に遊動自在に設置された保持ホルダー部からなり、該保持ホルダー部に携帯型情報端末、映像再生装置等を挿入して使用する事を特徴とする携帯型情報端末、映像再生装置等の車載用保持台座。
【請求項２】
請求項１に於いて、保持ホルダー部と外装材をボールジョイントで係着した事を特徴とする携帯型情報端末、映像再生装置等の車載用保持台座。
【請求項３】
請求項１に於いて、保持ホルダー部と外装材を回転軸で係着した事を特徴とする携帯型情報端末、映像再生装置等の車載用保持台座。
【請求項４】
請求項１に於いて、外装材にベース板を配設し該ベース板に回動可能なチルト板を係着し該チルト板と保持ホルダー部をジョイント材で遊動自在に係着した事を特徴とする携帯型情報端末、映像再生装置等の車載用保持台座。
【考案の詳細な説明】
【技術分野】
【０００１】  本考案は、携帯型情報端末、映像再生装置等の車両への装着保持台座に関するものである。
【背景技術】
【０００２】  従来の技術思想では、携帯型情報端末、映像再生装置等を車両に取り付ける場合、本体を両面テープやビスなどで直接固定する方法や保持ホルダー部に挿入して固定する方法が多かった。
【考案の開示】
【考案が解決しようとする課題】
【０００３】  本考案は、車両のカップホルダーを利用して携帯型映像再生装置等を縦位置及び横位置に遊動自在に車両に装着する保持台座を供給する事を目的とする。
【課題を解決するための手段】
【０００４】  本考案では車両のカップホルダーに、該ホルダーに内接する寸法形状を持ったカップ形状の外装材を装着し、該外装材に携帯型映像再生装置等の保持ホルダー部を係着する。保持部は該再生装置等を保持する保持ホルダー部と該ホルダー部に脱着可能に係着したボールジョイントカップと、該カップに嵌合するボールジョイントボールを固着したチルト板と該チルト板と係着されたベース板より構成し、該再生装置等は使用状況に合わせてボールジョイント部で縦位置、横位置に回転させチルト板で上下させて位置決めする事が出来る。該車載用保持台座を使用する事で、該カップホルダーを介して車両に安定した形態で携帯型映像再生装置等を装着保持する事が出来る。
【考案の効果】
【０００５】  上記のように本考案の携帯型映像再生装置等の車載用保持台座をカップホルダーを介して車両に装着して、ホルダーに挿入した該再生装置等を任意の位置に縦横上下自在に動かす事が可能になる。近時の多機能な携帯型映像再生装置等は使用状況に合わせて縦位置横位置で画面を切り替えて使用する方法が一般的である。車両に該再生装置等を持ち込み情報や映像の閲覧をする場合、従来のホルダーでは画面位置を回転させる事ができなかった。本考案では使用状況に応じてボールジョイント部で遊動自在に画面位置を回転させ固定する事が出来る。またホルダーの交換により多様な形状の該再生装置等を保持する事が出来る。
【考案を実施するための最良の形態】
【０００６】  車両のカップホルダーに内接する寸法形状を持ったカップ形状の外装材を樹脂材又は金属プレス材などで形成する。該外装材にベース板を固着し該ベース板にボールジョイントのボール部を配設したチルト板を回動可能に係着する。携帯型映像再生装置等を挿入保持出来る保持ホルダー部にボールジョイントのカップ部を脱着可能にビスなどで固着し、該ベース板のボール部に該保持ホルダー部のカップ部を嵌合させる。保持ホルダー部の回転傾斜等の位置調整は、嵌合させた該ボールジョイント部をつまみで狭める事により行い任意の位置に固定する。利用者は保持ホルダー部に該再生装置等を挿入し、任意の位置に傾斜回転上下させ固定して該再生装置等を操作する事が出来る。
【実施例】
【０００７】  以下、添付図面に基づいて実施例を説明する。
図１は本考案の車載用保持台座を車両のカップホルダーに装着し携帯型映像再生装置を装着保持した状態の側面図である。携帯型映像再生装置７は保持ホルダー部６に挿入され、ボールジョイントのカップ部５及びボール部４を介して、チルト板３に固定される。チルト板３は支点２ａ、３ａでリベット９によりベース板２に接続され、長穴３ｂの範囲で縦方向に回動する。ベース板２は外装材１にネジで固定されカップホルダー１０に挿入保持される。【０００８】  図２は保持ホルダー部６を横方向に回転させ、チルト板３を上方向に回動させた状態の側面図である。つまみ５ａを緩めることでボールジョイント部で該保持ホルダー部６を回動させ該再生装置７の画面の位置を縦横及び左右に自在に調整出来る。またつまみ８を緩めることでチルト板３を動かし、該再生装置７を上下に移動できる。【０００９】  図３は車載用保持台座の構成部品の俯瞰図である。使用する機器に応じて保持ホルダー部６を交換する事が出来る。図４は携帯型映像再生装置を本考案の車載用保持台座に装着し車両のカップホルダー１０に配置した使用状態の俯瞰図である。【０００１０】  図５は該保持ホルダー部６とチルト板３を結ぶジョイント材に軸１１と回動固定可能な軸受け１２を使用した実施例の側面図である。
【図面の簡単な説明】
【００１１】
【図１】車載用保持台座の縦使用状態の側面図である。
【図２】車載用保持台座の横使用状態の側面図である。
【図３】車載用保持台座の部品構成の俯瞰図である。
【図４】携帯型映像再生装置等を車載用保持台座に装着した使用時の俯瞰図である。
【図５】車載用保持台座の縦使用状態の側面図である。
【符号の説明】
【００１２】１外装材
２ベース板
３チルト板
５ボールジョイントのカップ部
６保持ホルダー部
１０車両のカップホルダー
【図１】
0003131194.tif 000003
【図２】
0003131194.tif 000004
【図３】
0003131194.tif 000005
【図４】
0003131194.tif 000006
【図５】
0003131194.tif 000007
(57)【要約】      （修正有）【課題】高度な技術も無く身障者、老齢者、子供等誰でも陶芸を楽しむ事が出来る木型を提供する。【解決手段】手のひらの上で廻す事の出来るように、木型１の外周部１ａを円弧状にしてなる陶芸用木型１。木型１の内部には、作品の外周部となる雌型部１ｂが形成されている。これにより、粘度を木型１の中に入れ、この木型を手のひらの上に載せて廻しながら、作品を作ることが可能となる。高度の作陶技術が無くても８割程度の完成品を得ることができる。【選択図】図２
0003131195.tif 000002
【実用新案登録請求の範囲】
【請求項１】
手のひらの上にて指先で廻す事の出来るように、木型の外周部を円弧状にしたことを特徴とする陶芸用木型。
【考案の詳細な説明】
【技術分野】
【０００１】  この考案は身体障害者、老齢者、小学生等の機能回復、維持、向上に使用される陶芸用木型に関するものである。
【背景技術】
【０００２】  従来の陶芸用の型としては石膏を用いて機械加工により制作されたものがある。
【考案の開示】
【考案が解決しようとする課題】
【０００３】  上記の様な従来の陶芸用の型は、石膏で作られ完成品制作の為の型であるため目的の指先の機能回復、維持、向上には効果が少ないという問題点があった。
【課題を解決するための手段】
【０００４】  この考案の陶芸用木型は、手のひら上に載せて指先で廻す事の出来るように、木型の外周部を円弧状としたものである。
【考案の効果】
【０００５】  木型の外周底部を円弧状にしたので、高度の作陶技術が無くても８割程度の完成品を得る事が出来、オリジナルの制作が可能であり、指先の機能回復、維持、向上が図れる。
【考案を実施するための最良の形態】
【０００６】実施の形態１．
図１は、この考案の実施の形態１を示す陶芸用木型の斜視図である。図２は、図１のＡ−Ａの断面図である。図３、図４はこの考案の陶芸用木型の使用状態を示す図である。図５はこの考案の陶芸用木型を用いて制作された作品の斜視図である。
図において、１は木で形成された木型である。１ａは木型の外周部であり、手のひらの上で廻しやすくする為に円弧状に形成されている。１ｂは木型１の内部に形成された作品の外周部の形状となる雌型部である。【０００７】  上述の様に構成された陶芸用の木型の使い方を図３及び図４に基づき説明する。
まず、図３に示す様に粘土２を木型１の中に入れる。次に、図４に示す様に、木型１を一方の手のひらの上に載せて廻しながら、もう片方の手の親指で中心を押さえ雌型部１ｂの底部中心に肉厚５〜７ミリ程度に整え、後は７ミリ程度雌型部１ｂの口部１ｃに向かい親指をずらし、木型の外周部１ａに沿わした外側の指、主に人差し指と中指で円周の肉厚を同じく５〜７ミリに整え、更に口部１ｃに向け７ミリ移動し、円周での肉厚を同じく５〜７ミリにする。この作業を繰り返し行い口部１ｃまで肉厚を揃え木型１による作業を終了する。【０００８】  口部１ｃの木型１から上部にはみ出した粘土２を道具（弓）にて切揃え、粘土で出来た器原型を木型１から取り出す。こうしてまず木型１により粘土で出来た器の原型を制作し、もう一度木型１から取り出した器状の原型を高台脇より口部１ｃに向け肉厚を更に薄く（２〜３ミリ）整えオリジナルの形にし、図５に示す様な作品３が完成する。この作品３は更に一輪挿し、人形、水滴といった個性溢れる作品に仕あげる事も可能である。
【図面の簡単な説明】
【０００９】
【図１】  この考案の実施の形態１を示す陶芸用木型の斜視図である。
【図２】  図１のＡ−Ａ断面図である。
【図３】  この考案の陶芸用木型を用いた使用状態を示す図面である。
【図４】  この考案の陶芸用木型を用いた使用状態を示す図面である。
【図５】  この考案の陶芸用木型を用いて制作した作品の斜視図である。
【符号の説明】
１木型、１ａ外周部
【図１】
0003131195.tif 000003
【図２】
0003131195.tif 000004
【図３】
0003131195.tif 000005
【図４】
0003131195.tif 000006
【図５】
0003131195.tif 000007
(57)【要約】      （修正有）【課題】常時垂れ流しの情報発信装置にしない。人の注目を引くことができる情報発信装置にする。どこにでも簡単に設置できる情報発信装置。【解決手段】人の通過を感知した時だけ動作し、光と音声で人の注目を引き、電源を含め全ての機能を一体化させる。【選択図】図５
0003131193.tif 000002
【実用新案登録請求の範囲】
【請求項１】
人の動きを感知する「センサー部」と、感知して音声を発する「スピーカー部」及び、光を発光する「発光部」を乾電池を電源として動作する装置で且つ、これらを一体化した情報発信装置
【考案の詳細な説明】
【技術分野】
【０００１】流通店舗の店内に設置して来店客に対しての情報発信装置。街頭、ビル内、駅、路地等で移動している人に対しての情報発信装置。
【背景技術】
【０００２】情報発信装置としては、文字や画像、音声情報を常時垂れ流し状態で発信している情報発信装置はいたる所で見受けられるが、人が通過する必要なときに限定して情報を発信する装置は見受けられない。見受けられたとしても音声情報のみであったり、画像や文字情報のみであったり、一体化されていなかったりする装置である。
【考案の開示】
【考案が解決しようとする課題】
【０００３】常時垂れ流し状態の情報発信装置は、人の目や耳を慣れさせるため雑音と感じさせ発信したい情報に注目させることが困難であった。電源もＡＣ１００Ｖで動作する装置が中心で設置場所を限定してしまう欠点があり、又、装置が一体化されていないため取付けも簡単にできなかった。
【課題を解決するための手段】
【０００４】本情報発信装置のそばを人が通過するという限定されたタイミングに作動させる。通過する人の関心を集めるための音声を出す、光を発光させる。又、どこにでも簡単に取付けられるよう電源を乾電池にする等必要な機能を一体化させる。
【考案の効果】
【０００５】既に存在する情報発信装置とは比較にならないコストで製造でき、設置場所を選ばない、取付けが簡単になる等メリットが多く、利用範囲・応用範囲が広く又、人が通過する時のみ動作することで情報の注目度も向上し効果も期待できる。
【考案を実施するための最良の形態】
【０００６】各図で示すように、人が関心を示す各機能の配置又、どこにでも簡単に設置・取付けできるよう全ての機能を一体化したコンパクトな形体にすることが最良である。
【実施例】以下、本考案について、図面に示す実施例を参照して詳細に説明する。【０００７】図１（正面図）に示すように正面から見た場合、中心の表示部に画像や文字情報を配置。表示部を囲うように光の発光部。下部に人の動きを感知するセンサー部と音声を出すスピーカー部から構成される。【０００８】図２（上面図）は、上面から見た場合、上部に発光部及び、裏面に取付けられる取付金具、下方に下部に取付けられる電池部・録音部・センサー部・スピーカー部から構成される。【０００９】図３（裏面図）は、裏面から見た場合、上部に取付金具、下方に電池部・録音部・センサー部・スピーカー部から構成される。【００１０】図４（下面図）は、下面から見た場合、上部に発光部及び、裏面に取付けられる取付金具、上方に下部に取付けられる電池部・録音部・センサー部・スピーカー部から構成される。【００１１】図５（左側面図）は、手前に発光部、右下部に電池部・録音部、右上部に取付金具、左下部にセンサー部・スピーカー部から構成される。【００１２】図６（右側面図）は、手前に発光部、左下部に電池部・録音部、左上部に取付金具、右下部にセンサー部・スピーカー部から構成される。
【産業上の利用可能性】
【００１３】流通店舗でのお買い得情報の発信装置。製造メーカー商品の広告宣伝装置。飲食店の広告宣伝装置。通行者の危険箇所の情報案内装置。盲目の人への通行案内装置等々利用範囲の可能性は大きいものと期待できる。
【図面の簡単な説明】
【図１】本考案を正面から見た図。
【図２】本考案を上面から見た図。
【図３】本考案を裏面から見た図。
【図４】本考案を下面から見た図。
【図５】本考案を左側面から見た図。
【図６】本考案を右側面から見た図。
【符号の説明】
特別な符号なし
【図１】
0003131193.tif 000003
【図２】
0003131193.tif 000004
【図３】
0003131193.tif 000005
【図４】
0003131193.tif 000006
【図５】
0003131193.tif 000007
【図６】
0003131193.tif 000008
(57)【要約】【課題】  草刈作業中に樹脂ブレード草刈刃の本体下部が、地面に接地した状態で高速回転する場合が多いので、磨耗・損傷してしまう不都合と、草刈刃が地面に接触しないように地面から浮かせて作業しているので、作業者の負担になっている不都合を解消すること。【解決手段】  保護カバーを大型にして、内部にベアリングを取り付け、刈刃の回転の影響を受けずに自由に回転できるようにし、また、保護カバーの内側に、回転軸への草の巻き付きを防止する金属板を取り付けることにより、この問題を解決する。【選択図】図１
0003131173.tif 000002
【実用新案登録請求の範囲】
【請求項１】
従来の樹脂ブレード草刈刃の下側に、草刈刃の磨耗・損傷と草刈り作業者の負担を軽減するための接地安定盤を取りつけて一体型とした、接地安定型樹脂ブレード草刈刃。
【考案の詳細な説明】
【技術分野】
【０００１】本考案は、刈払機に取り付け、作業機能を向上させ、作業者の負担を軽減する、刈払機用接地安定型樹脂ブレード草刈刃に関するものである。
【背景技術】
【０００２】従来の刈払機用樹脂ブレード草刈刃の本体は、薄い金属板を成形したものだが、草刈り作業中に地面に接触することは多い。
【考案の開示】
【考案が解決しようとする課題】
【０００３】１）  草刈作業中に樹脂ブレード草刈刃の本体下部が、地面に接地した状態で高速回転する場合が多いので、磨耗・損傷してしまう。また作業者は、できるだけ地面に草刈刃が接触しないように、地面から刈刃を浮かせた状態で作業しているので、作業者の負担になっている。
【課題を解決するための手段】
【０００４】１）  草刈刃の下側に、草刈刃の影響を受けずに自由に回転する接地安定盤を装着して、接地安定型樹脂ブレード草刈刃とする。
【考案の効果】
【０００５】１）  草刈刃と接地安定盤は固定されておらず、自由に回転するので、地面に接地した状態で草刈作業をしても、磨耗・損傷が少ない。また、作業者が接地安定盤を地面に接地した状態で草刈作業ができるので、作業者にかかる負担が大幅に軽減される。
【考案を実施するための最良の形態】
【０００６】本考案に係る刈払機用接地安定型樹脂ブレード草刈刃１は、図１のように中心部の取り付けボルト２が地面に接触して損傷しないように、接地安定盤４の中央部に平らな窪みが形成されている。安定盤内側の中心部にベアリング３が取り付けられており、接地安定盤は、このベアリングを介して刈払機の回転軸に取り付けられるので、草刈刃の回転の影響を受けずに自由に回転する。安定盤の高さは、低過ぎると刈刃が地面に接触しやすくなり、高過ぎると草が短く刈れないので、適度な高さとする。
刈払機の回転軸への取り付け方法は、接地安定盤中心部のボルト１本のみで容易に着脱可能な構造とする。
材質は、錆びにくく、薄い金属板で、長期間地面に接触しても磨耗しない強度のあるもので、一体成型が望ましい。
【図面の簡単な説明】
【０００７】
【図１】本考案に係る刈払機用接地安定型樹脂ブレード草刈刃の断面図である。
【図２】本考案に係る刈払機用接地安定型樹脂ブレード草刈刃の下から見た平面図である。
【図３】本考案に係る刈払機用接地安定型樹脂ブレード草刈刃を刈払機に装着した状態の断面図である。
【図４】本考案に係る刈払機用接地安定型樹脂ブレード草刈刃の上から見た平面図である。
【符号の説明】
【０００８】１    刈払機用接地安定型樹脂ブレード草刈刃
２    取り付けボルト
３    ベアリング
４    接地安定板
ａ    樹脂ブレード
ｂ    回転軸
【図１】
0003131173.tif 000003
【図２】
0003131173.tif 000004
【図３】
0003131173.tif 000005
【図４】
0003131173.tif 000006
(57)【要約】      （修正有）【課題】軽量、コンパクトで路面の段差による振れを吸収し、振動数を少なくし、常に安定した画像を得られるショックアブソーバー付きカメラ取り付け器具を提供する。【解決手段】雲台となる上プレート２と下プレート７にそれぞれの左右にホルダ１０を取り付け、ホルダ１０の中心部にウレタンゴム１を挿入し、上プレートと下プレートを並行にし、滑らない様にウレタンゴム止めネジ６で固定する。そうすることにより路面の段差などによる振れをウレタンゴムのねじれによる弾力性と復元力によりショックを吸収し振動数を少なく出来る。【選択図】図１
0003131172.tif 000002
【実用新案登録請求の範囲】
【請求項１】
ウレタンゴムやゴムのねじりによるショックアブソーバーを有し、自転車、オートバイ、車などにカメラ及びムービーカメラを取り付け、走行した際に生じる振動を押さえ、綺麗な画像を撮影可能にし、また衝撃によるカメラの損傷を防ぐことができるカメラ取り付け器具。
【考案の詳細な説明】
【技術分野】
【０００１】
本考案はウレタンゴムやゴムのねじれによるショックアブソーバーを有するカメラの取り付けに関する。
【背景技術】
【０００２】
従来のカメラ取り付け装置にはオートバイ用に施したものがある（例えば、文献１参照。）またスタビライザを施したものもある（例えば特許文献２参照。）。
【特許文献１】実開平５−２２２８３
【特許文献２】特公平５−１５８１４８
【考案の開示】
【考案が解決しようとする課題】
【０００３】
しかしながら路面の振動による画像のブレは取り付け装置自体が路面による振れを吸収し振れ回数を出来る限り少なくしなければ解決出来ない、また装置が大きくなる欠点がある。
【課題を解決するための手段】
【０００４】
本考案はウレタンゴムやゴムのねじれの弾力性を利用し路面の段差などによる振れを吸収し、少ない振動数で振れを止める、また軽量、コンパクトにしたカメラ取り付け器具を提供することで上記課題を解決する。
【考案の効果】
【０００５】
本考案のショックアブソーバー付きカメラ取り付け器具は、ウレタンゴムのねじれの弾力性を利用することにより適度な弾力性と復元力を利用することにより、路面の段差などの振れを吸収し、少ない振動数による画質の安定性及び振動によるカメラへのダメージを抑えることが出来る、また軽量、コンパクトなため、何所にでも取り付け易い。
【考案を実施するための最良の形態】
【０００６】
図１に示すように、上プレート２と下プレート７のそれぞれに左右にホルダ１０を取り付け、動きをスムーズにする為、左右のホルダの間に樹脂リング９を挟みホルダ１０の中心にウレタンゴム１を挿入する、上プレート２と下プレート７が平行になる様にホルダ１０のウレタンゴム止めネジ６を締め付けウレタンゴム１が滑らないよう固定する、上プレート２の上表面に滑り止めゴム３を貼りネジ穴４にブラケット止めネジを挿入する。
【実施例１】
【０００７】
図２に示すように、ハンドル１２にショックアブソーバー付きカメラ取り付け器具をハンドル取り付けステー８にて取り付け、カメラ１３をブラケット止めネジ５にて取り付ける。
【０００８】
上記工程によりショックアブソーバー付きカメラ取り付け器具にカメラを自転車やオートバイに装着し、走行すると段差などでのカメラへのダメージなど考慮せずに走行出来るため、気軽に安心して安全に走行することが出来、ブレの少ない美しい画像を提供することが出来る。
【産業上の利用可能性】
【０００９】
本考案はウレタンゴム若しくはゴムのねじりによる弾力性と復元力により少ない振動数が得られるため、より高画質な画像を提供でき、軽量、コンパクトであるので容易に設置でき、構造がシンプルで故障の原因が少ないため誰もが使用できる。
【図面の簡単な説明】
【００１０】
【図１】本考案の概略図
【図２】本考案の実施態様を示す図
【符号の説明】
【００１１】
１  ウレタンゴム
２  上プレート
３  滑り止めゴム
４  ネジ穴
５  ブラケット用止めネジ
６  ウレタンゴム止めネジ
７  下プレート
８  ハンドル取り付けステー
９  樹脂リング
１０  ホルダ
１１  ネジ
１２  ハンドル
１３  カメラ
【図１】
0003131172.tif 000003
【図２】
0003131172.tif 000004
【手続補正書】
【提出日】平成19年2月14日(2007.2.14)
【手続補正１】
【補正対象書類名】実用新案登録請求の範囲
【補正対象項目名】全文
【補正方法】変更
【補正の内容】
【実用新案登録請求の範囲】
【請求項１】
雲台となる上プレート２の上面にカメラを固定する為のブラケット用止めネジ５を通す穴をカメラの重量によってカメラの取り付け調整出来る様に上プレート２の前後に開け、上プレート２の上面に滑り止めゴムを貼り、上プレート２の右下端にホルダ１０をネジ１１にて取り付け、下プレート７の左上端にホルダ１０をネジ１１にて取り付け、左右のホルダ１０の中心部にウレタンゴム１を挿入し、上プレート２と下プレートを平行にしてウレタンゴム止めネジ６にてウレタンゴムを固定し、下プレート７の下にハンドル取り付けステー８を取り付け、ウレタンゴム１のねじりによる反発作用を利用することによって路面の凹凸を吸収し、揺れを最小限にとめるため美しい画像を提供出来るショックアブソーバー付きカメラ取り付け器具。